(57)【要約】【課題】光拡散板とスペーサピンやランプボックス等との当接による音の発生を防止することができる面光源装置及び液晶表示装置を提供する。【解決手段】液晶表示装置１は、バックライト（面光源装置）２と、このバックライト２の前面側に配置された液晶パネル３とを備えている。バックライト２は、前面側が開放されたランプボックス７を有し、ランプボックス７内には、複数の線状光源１１と、複数のスペーサピン１４とが配置されている。各線状光源１１の前面側には、樹脂製の光拡散板１２がランプボックス７の開放部を塞ぐように配置されている。また、バックライト２は、光拡散板１２を押さえるためのフレーム１５を有している。フレーム１５の内側背面１５ｂには、ゴムシート２０がフレーム１５の全周にわたって貼り付けられている。ゴムシート２０は、光拡散板１２の前面１２ｂに接触している。【選択図】図１
2010225514.tif 000002
【特許請求の範囲】
【請求項１】
前面側が開放されたランプボックスと、
前記ランプボックス内に互いに離間して配置された複数の光源と、
前記ランプボックスの開放部を塞ぐように配置され、前記光源からの光を拡散させる樹脂製の光拡散板と、
前記ランプボックス内における前記各光源間に配置され、前記光拡散板を支えるための複数のスペーサピンと、
前記光拡散板の前面側に配置され、前記光拡散板の周縁部を押さえるためのフレームと、
前記光拡散板の前面と前記フレームとの間に実質的に全周にわたって介在された弾性体とを備え、
前記弾性体は、前記光拡散板の前面に接していることを特徴とする面光源装置。
【請求項２】
請求項１記載の面光源装置と、
前記面光源装置の前面側に配置された液晶パネルとを備えることを特徴とする液晶表示装置。
【発明の詳細な説明】
【技術分野】
【０００１】
本発明は、複数の光源及び光拡散板を備えた面光源装置及び液晶表示装置に関するものである。
【背景技術】
【０００２】
液晶表示装置としては、例えば液晶セルの前後両面側にそれぞれ偏光板が配置されてなる画像表示部の背面側に、面光源装置がバックライトとして配置された構成のものが公知である。バックライト用の面光源装置としては、ランプボックス内に複数の光源が配置され、これらの光源の前面側に光拡散板が配置されたものが知られている。光拡散板はランプボックスの縁枠部の前面に当接した状態で配置固定されているので、その縁枠部と光拡散板との相互間の擦れ等により音が発生することがある。
【０００３】
そこで、例えば特許文献１に記載されているように、ランプボックスの縁枠部と光拡散板との間の擦れ現象等による音の発生を防止するようにした面光源装置及び液晶表示装置が提案されている。
【先行技術文献】
【特許文献】
【０００４】
【特許文献１】特開２００８−１３０４８８号公報
【発明の概要】
【発明が解決しようとする課題】
【０００５】
ところで、光拡散板の周縁部の前面側に光拡散板を押さえるためのフレームが配置されており、光拡散板とフレームとの間に遊間が設けられているような面光源装置では、電源をＯＮにしたときに、ランプボックス内における各光源間に配置されたスペーサピンやランプボックス等の部材に光拡散板が当たり、音が発生することがあった。
【０００６】
本発明の目的は、光拡散板とスペーサピンやランプボックス等との当接による音の発生を防止することができる面光源装置及び液晶表示装置を提供することである。
【課題を解決するための手段】
【０００７】
本発明者等は、光拡散板がスペーサピンやランプボックス等に当たって音が発生する原因について鋭意追究を重ねたところ、面光源装置の電源をＯＮにすると、面光源装置の内部の温度上昇によって光拡散板が膨張して反るため、光拡散板の周縁部がフレーム内面に突っ掛かり、その突っ掛かりが弾かれた時のはずみにより光拡散板が撓んでスペーサピンやランプボックス等に強く当たることで、音が発生するものと推測し、本発明を完成させるに至った。
【０００８】
即ち、本発明の面光源装置は、前面側が開放されたランプボックスと、ランプボックス内に互いに離間して配置された複数の光源と、ランプボックスの開放部を塞ぐように配置され、光源からの光を拡散させる樹脂製の光拡散板と、ランプボックス内における各光源間に配置され、光拡散板を支えるための複数のスペーサピンと、光拡散板の前面側に配置され、光拡散板の周縁部を押さえるためのフレームと、光拡散板の前面とフレームとの間に実質的に全周にわたって介在された弾性体とを備え、弾性体は、光拡散板の前面に接していることを特徴とするものである。なお、実質的に全周には、完全に全周だけでなく、一部が切れているような略全周も含まれる。
【０００９】
このように本発明の面光源装置においては、上述したように、電源をＯＮにすると、内部の温度上昇により光拡散板が膨張して反るようになる。しかし、光拡散板の前面とフレームとの間には、弾性体が実質的に全周にわたって光拡散板の前面に接するように設けられている。このため、光拡散板が膨張して反っても、弾性体が弾性変形することでフレームに加わる力を吸収するようになるため、フレームへの光拡散板の周縁部の突っ掛かりが緩和される。従って、光拡散板の突っ掛かりが弾かれることで光拡散板が撓んでスペーサピンやランプボックス等に強く当たることが抑制されるため、不要な音の発生を防止することができる。
【００１０】
また、本発明の液晶表示装置は、上述した面光源装置と、面光源装置の前面側に配置された液晶パネルとを備えることを特徴とするものである。
【００１１】
このように本発明の液晶表示装置においては、上記の面光源装置を備えているので、上述したように、電源をＯＮにしたときに、フレームに突っ掛かっていた光拡散板が弾かれてスペーサピンやランプボックス等に強く当たることを抑制し、不要な音の発生を防止することができる。
【発明の効果】
【００１２】
本発明によれば、光拡散板とスペーサピンやランプボックス等との当接による音の発生を防止することができる。これにより、高品質の面光源装置及び液晶表示装置を提供することが可能となる。
【図面の簡単な説明】
【００１３】
【図１】本発明に係わる液晶表示装置の一実施形態を示す分解断面図である。
【図２】図１に示したバックライト（面光源装置）の変形例の周縁部を示す断面図である。
【発明を実施するための形態】
【００１４】
以下、本発明に係わる面光源装置及び液晶表示装置の好適な実施形態について、図面を参照して詳細に説明する。
【００１５】
図１は、本発明に係わる液晶表示装置の一実施形態を示す分解断面図である。同図において、本実施形態の液晶表示装置１は、例えば２４型（５４ｃｍ×３１ｃｍ）以上の液晶テレビに適用される。液晶表示装置１は、バックライト（面光源装置）２と、このバックライト２の前面側（上面側）に配置された液晶パネル３とを備えている。
【００１６】
液晶パネル３は、液層セル４と、この液層セル４の前後両側にそれぞれ配置された偏光板５，６とからなっている。
【００１７】
バックライト２は、前面側が開放された樹脂製のランプボックス７を有している。ランプボックス７は、平面視矩形状の背面板８と、この背面板８の周縁部から前方側に向けて延設された４つの側面板９からなる縁枠部１０とから構成されている。
【００１８】
ランプボックス７内には、複数の線状光源１１が互いに離間して配置されている。線状光源１１としては、例えば蛍光管、ハロゲンランプ、タングステンランプ等が用いられる。ランプボックス７の内面には、各線状光源１１からの光を反射させる光反射層（図示せず）が形成されている。
【００１９】
各線状光源１１の前面側には、光拡散板１２がランプボックス７の開放部を塞ぐように配置されている。光拡散板１２は、各線状光源１１からの光を拡散させて透過させるものである。光拡散板１２の背面１２ａの周縁部は、ランプボックス７の縁枠部１０に当接した状態で保持・固定されている。
【００２０】
光拡散板１２は、透光性樹脂を基材として形成されている。透光性樹脂としては、アクリル系樹脂、スチレン系樹脂、ポリカーボネート、ポリエチレン、ポリプロピレン、環状ポリオレフィン、環状オレフィン共重合体、ポリエチレンテレフタレート、ＭＳ樹脂（メタクリル酸メチル−スチレン共重合体樹脂）、ＡＢＳ樹脂（アクリロニトリル−ブタジエン−スチレン共重合体樹脂）、ＡＳ樹脂（アクリロニトリル−スチレン共重合体樹脂）等が挙げられる。
【００２１】
なお、ランプボックス７には、図２に示すように、背面板８及び各側面板９（縁枠部１０）に接合されたハット型の補助板１３を設けても良い。この場合には、光拡散板１２の背面１２ａの周縁部を補助板１３に当接した状態で保持・固定すると共に、補助板１３の光拡散板１２側の面に光反射層（図示せず）を形成する。
【００２２】
ランプボックス７内における各線状光源１１間には、光拡散板１２を支えるための複数の略円錐状のスペーサピン１４が配置されている。スペーサピン１４の先端は、湾曲状となっている。スペーサピン１４は、例えばポリエチレンテレフタレートで形成されている。
【００２３】
また、バックライト２は、光拡散板１２の周縁部を押さえるためのフレーム１５を有している。フレーム１５は、断面略Ｌ字状を有し、光拡散板１２の周縁部との間に所定量の遊間をもつようにランプボックス７に固定されている。フレーム１５の内側部分には段部１５ａが形成され、この段部１５ａに上記の液晶パネル３が保持・固定されている。
【００２４】
フレーム１５の内側背面１５ｂ（フレーム１５における光拡散板１２の前面１２ｂと向き合う面）には、ゴムシート２０がフレーム１５の全周にわたって矩形状に貼り付けられている。ゴムシート２０は、フレーム１５の全周にわたって光拡散板１２の前面１２ｂに接触している。つまり、光拡散板１２の前面１２ｂとゴムシート２０との間には遊間が設けられていない構造となっている。なお、ゴムシート２０の厚みは、例えば２．５ｍｍ程度である。
【００２５】
以上のような液晶表示装置１において、電源をＯＮにすると、バックライト２内の温度上昇によって光拡散板１２の熱膨張が発生し、光拡散板１２が反る。
【００２６】
このとき、光拡散板１２とフレーム１５との間にゴムシート２０が介在されていない場合には、光拡散板１２の反りによって光拡散板１２の周縁部がフレーム１５の内側背面１５ｂに突っ掛かり、その突っ掛かりが弾かれる時のはずみで光拡散板１２が元の状態に戻ろうとして撓むことで、光拡散板１２がスペーサピン１４の先端やランプボックス７等に強く当たり、衝撃音が発生することがある。
【００２７】
これに対し本実施形態では、フレーム１５の内側背面１５ｂに全周にわたってゴムシート２０が貼り付けられており、このゴムシート２０が光拡散板１２の前面１２ｂに接しているので、光拡散板１２の反りが生じると、ゴムシート２０が弾性変形してフレーム１５にかかる応力を吸収するようになる。このため、光拡散板１２が大きく反ることが無く、フレーム１５の内側背面１５ｂに対する光拡散板１２の周縁部の突っ掛かりが抑制される。従って、光拡散板１２の突っ掛かりが弾かれる時のはずみによる光拡散板１２の撓みが生じにくくなるため、光拡散板１２がスペーサピン１４やランプボックス７等に強く当たることによる衝撃音の発生を抑えることができる。その結果、高品質の液晶表示装置１を得ることが可能となる。
【００２８】
なお、本発明は、上記実施形態に限定されるものではない。例えば、上記実施形態では、光拡散板１２とフレーム１５との間にゴムシート２０が全周にわたって介在されているが、ゴムシート２０は、特に完全に全周にわたって介在されていなくても良く、ほぼ全周にわたって（例えばフレーム１５の各辺に対して９０％以上）介在されていれば良い。
【実施例】
【００２９】
以下、本発明に係わる面光源装置及び液晶表示装置の一実施例について説明する。
【００３０】
（１）実施例１
ゴムシートがフレームの内側背面の全周にわたって設けられている上記実施形態と同様の面光源装置を得た。
【００３１】
（２）比較例１
フレームの内側背面にゴムシートを設けない以外は、上記実施形態と同様にした面光源装置を得た。
【００３２】
（３）評価
上記の実施例１及び比較例１の各面光源装置について、下記評価法に従って評価を行った。これらの評価結果を表１に示す。
【表１】
2010225514.tif 000003
【００３３】
［音発生防止効果の評価法］
市販の３２型（７５ｃｍ×４５ｃｍ）の液晶テレビにおいて、フレームの内側背面に全周にわたってゴムシートを貼り付けた後、光拡散板及びフレーム（実施例品・比較例品）を配置固定した。その後、液晶テレビを点灯した後３０分間に、光拡散板とスペーサピンとの接触に起因すると考えられる音の鳴る回数及び大きさを評価した。
【００３４】
具体的には、騒音計（横河Ｍ＆Ｃ株式会社、ＬＹ１０  普通騒音計）を用い、２３ｄＢの環境下において３０ｄＢよりも小さな音は１ポイント、３０ｄＢ以上の音は２ポイントとして加算し、合計ポイントが０〜４のものについては「◎」、５〜９のものについては「○」、１０以上のものについては「×」とした。
【００３５】
［評価結果］
表１から明らかなように、実施例１の面光源装置では、フレームの内側背面の全周にわたってゴムシートが設けられており、ゴムシートと光拡散板の前面との間には遊間がないので、ランプ点灯後に発生するフレームの内側背面への光拡散板の突っ掛かりが緩和され、また光拡散板の突っ掛かりが弾かれることも緩和されるため、音の発生を十分に抑制することができた。
【００３６】
これに対し、比較例１の面光源装置では、フレームの内側背面にゴムシートが設けられていないので、ランプ点灯後に光拡散板が沿ってフレームの内側背面に突っ掛かり、その光拡散板の突っ掛かりが弾かれて音が発生した。
【符号の説明】
【００３７】
１…液晶表示装置、２…バックライト（面光源装置）、３…液晶パネル、７…ランプボックス、１１…線状光源、１２…光拡散板、１２ｂ…前面、１４…スペーサピン、１５…フレーム、２０…ゴムシート（弾性体）。
【図１】
2010225514.tif 000004
【図２】
2010225514.tif 000005